(57)【要約】【課題】  表示ユニットの閉じた状態、及び、開いた状態のいずれの状態に於いても、表示部の表示面が操作者側に向いている電子機器を提供する。【解決手段】  電子機器１０００の表示ユニット２を閉じた状態（Ａ）から、開いた状態（Ｇ）に移行するとき、表示ユニット２が本体１に対して約４５度の角度まで開き、その後、ギア歯４ａ、ギア５〜７の回転により表示ユニット２の表示部３が回転することにより、表示部３の表示面３ａが操作者側を向いた状態を保てる。【選択図】  図３
2006133668.tif 000002
【特許請求の範囲】
【請求項１】
本体ユニットと、閉じた状態と開いた状態の間で前記本体ユニットに回転自在に取り付けられた表示ユニットから成る電子機器であって、
前記表示ユニットに回転自在に取り付けられた表示部と、
前記表示ユニットが前記閉じた状態と前記開いた状態で回動されるときに、前記表示ユニットの回動運動を、前記表示部の回動運動として伝達する伝達手段とを有し、
前記表示ユニットが前記閉じた状態と前記開いた状態の何れの状態においても、前記表示部が前記本体ユニットの外側を向いていることを特徴とする電子機器。
【請求項２】
前記伝達手段は、前記表示ユニットが前記閉じた状態から所定の角度開いた状態までは、前記回転運動を伝達しない構成であることを特徴とする請求項１に記載の電子機器。
【請求項３】
前記伝達手段が、一部のギア歯が設けられていないギアで構成されていることを特徴とする請求項２に記載の電子機器。
【請求項４】
前記伝達手段は、前記表示ユニット内に設けられていることを特徴とする請求項１乃至３の何れか１項に記載の電子機器。
【請求項５】
前記本体ユニットの回動時の中心が、前記本体ユニットの端部にあり、前記表示部の回動時の中心が、前記表示部の中心部にあることを特徴とする請求項１乃至４の何れか１項に記載の電子機器。
【請求項６】
前記表示ユニットが、前記本体ユニットに設けられた外部記憶装置の装着部を覆う構成であることを特徴とする請求項１乃至５の何れかに記載の電子機器。
【請求項７】
表示部と、該表示部を移動して表示面を反転可能に支持する表示ユニットと、該表示ユニットをヒンジ機構で結合し回転運動可能に支持する本体ユニットを有し、
前記表示ユニットの回転運動によって、前記表示ユニットの一面が前記本体ユニットに対向する閉じた状態と、前記一面が前記本体ユニットに対向しない所定の角度に開いた状態に、開閉する事ができる電子機器であって、
前記表示ユニットの回転運動を伝達機構よって伝達し、前記表示ユニットの回転移動中に前記表示部の表示面を反転移動させる手段を更に有し、
該手段は、前記表示ユニットが閉じた状態に於いては、前記表示部の表示面を、前記表示ユニットの前記一面の背面側として可視状態とすると共に、前記表示ユニットが前記開いた状態に於いては、前記表示部の表示面を反転状態として前記表示ユニットの前記一面の方向にすることを特徴とする電子機器。
【請求項８】
前記表示ユニットの回転運動を伝達機構よって伝達し、前記表示ユニットの回転移動中に前記表示部の表示面を反転移動させる手段は、前記表示部が前記表示ユニットに対して回転移動する手段と該回転移動する手段の回転中心軸を移動する手段を更に有し、
前記回転移動する手段は、前記回転中心軸を前記表示部の左右又は上下の端面近傍に設け、前記閉じた状態又は前記開いた状態からの前記表示ユニットの回転運動の伝達に基づき、前記回転中心軸近傍端面と対を成す側面部を前記表示ユニットの前記一面の方向に回転移動する手段であると共に、前記回転中心軸を移動する手段は、前記回転中心軸を該中心軸と垂直方向かつ前記表示ユニットの前記一面に沿った方向へ移動する手段を有することを特徴とする請求項７に記載の電子機器。
【発明の詳細な説明】
【技術分野】
【０００１】
本発明は、表示を有する電子機器に関し、特に、携帯電話、携帯情報端末、ノートパソコン又はデスクトップパソコン等の、表示部を有する表示ユニットをヒンジ機構で本体ユニットに結合し回転運動可能に支持する電子機器に関する。
【背景技術】
【０００２】
従来の一般的な携帯電話、携帯情報端末、ノートパソコン等の携帯性を有する電子機器に於いては、表示部を有する表示ユニットをヒンジ機構によって回動可能に支持し、携帯時は、表示ユニットの表示面を表示ユニットを支持する支持ユニットのキーボード面に対向させて折り畳んだ、閉じた状態としてコンパクトなサイズにし、電話時又はキー入力操作時等は、表示ユニットをヒンジ機構によって所定の角度まで回転して表示ユニットを開いた状態にし、表示面を可視状態として使用している。
【０００３】
上述した様な表示部を有する表示ユニットがそれを支持する本体ユニットに対して回転運動する構成は、上記した携帯型の電子機器だけではなく、デスクトップパソコン、サーバー、ＡＶ機器等の据置型の電子機器にも多く採用されている。それら場合は、表示ユニットが本体ユニットに閉じた状態では、その表示ユニットの奥側に内蔵する着脱可能な記憶媒体等を外部から保護すると共に、表示部の表示面を操作者側に向けて、内蔵する記憶媒体等の内容、種類等の情報を表示する。そして、表示ユニットを回転して開いた状態の状態とすることにより、記憶媒体等の着脱を可能とする。
【０００４】
以上説明した電子機器に於いては、一般的に表示ユニットと表示部が一体的に構成されており、本体ユニットに対して回転運動する表示ユニットの状態により、表示部の表示面が操作者側を向かない、不可視状態となる場合がある。
【０００５】
それを解決し、表示ユニットが閉じた状態及び開いた状態のいずれの状態に於いても表示部の表示面を操作者側に向ける技術として、表示ユニットと表示部を別体的に構成し、本体ユニットに対する表示ユニットの回転運動とは別に、表示ユニットに対する表示部の反転移動が可能な技術が提案されている。
【０００６】
その従来技術に関係する提案として、携帯電話を実施の形態とした特許文献１等、また、ノートパソコン又は携帯情報端末を実施の形態とした特許文献２等がある。
【特許文献１】特開２００１−１８９７８２号
【特許文献２】特開平６−３３７８４６号
【発明の開示】
【発明が解決しようとする課題】
【０００７】
ところが、それらの従来技術は、表示部を回転して表示面を操作者側に向ける操作を操作者に依存する事を前提とした技術である。以下、図面を用いて従来技術を説明する。
【０００８】
図１１は据置型の電子機器に対する従来技術を説明する為の図で、電子機器１００は操作者の操作によって回転運動する表示ユニット１０２を支持している。表示ユニット１０２は表示部１０３を有し、図１１（Ａ）に示す、表示ユニット１０２の背面を本体ユニット１０１に対向させた位置とした、表示ユニット１０２を閉じた状態の場合は、表示部１０３の表示面１０３ａを操作者側に向けることにより、内蔵する記憶媒体１０４に関する種々の情報等を表示することができる。
【０００９】
図１１（Ｂ）は、図１１（Ａ）の状態から表示ユニット１０２をその右側端面近傍部に設けたヒンジ機構（図示せず）の回転中心軸を中心として回転し、表示ユニット１０２を開いた状態とした状態を示し、内蔵している記憶媒体１０４等の着脱を可能としている。その状態に於いては、表示部１０３はその背面１０３ｂを操作者側に向け、表示面１０３ａが見えない状態であるが、図１１（Ｃ）で示す様に、表示部１０３を表示ユニット１０２に対して回転可能な構成とすることによって、操作者はそれを回転させ、表示面１０３ａを自分の方に向けることができる。
【００１０】
携帯型の電子機器に対する従来技術も図１１を用いて説明した据置型へのそれと同様で、表示ユニットを本体ユニットに対して回転するヒンジ機構とは別に、表示ユニットの表示部を反転させる機構を設け、その反転運動を操作者が行う事によって、表示ユニットが閉じた状態及び開いた状態のいずれの状態に於いても表示部の表示面を操作者側に向ける手段を実現している。
【００１１】
しかし、それらの従来技術では、操作者はその都度自分で表示部の反転操作を行わなければならない。また、その表示部の反転運動は、表示ユニットが閉じた状態の状態では行う事ができない為、例えば携帯電話に於いて表示ユニットを折り畳んであり表示面が不可視状態であって、その表示ユニットを折り畳んだ状態で表示面を見ることを希望する場合は、まず表示ユニットを開いた状態又は表示部を反転移動可能な角度の状態にし、それから表示部の反転移動を行い、再び表示ユニットを閉じた状態まで戻す、手間が掛かる操作を必要としていた。
【００１２】
本発明は以上説明した従来技術が有する問題点を解決し、表示ユニットの閉じた状態、又は、開いた状態のいずれの状態に於いても表示部の表示面は操作者側に向いている電子機器を提供することを目的とする。
【課題を解決するための手段】
【００１３】
上記目的を達成する為に、本発明の電子機器は、本体ユニットと、閉じた状態と開いた状態の間で前記本体ユニットに回転自在に取り付けられた表示ユニットから成る電子機器であって、前記表示ユニットに回転自在に取り付けられた表示部と、前記表示ユニットが前記閉じた状態と前記開いた状態で回動されるときに、前記表示ユニットの回動運動を、前記表示部の回動運動として伝達する伝達手段とを有し、前記表示ユニットが前記閉じた状態と前記開いた状態の何れの状態においても、前記表示部が前記本体ユニットの外側を向いていることを特徴とする。
【００１４】
また、本発明の電子機器は、表示部と、該表示部を移動して表示面を反転可能に支持する表示ユニットと、該表示ユニットをヒンジ機構で結合し回転運動可能に支持する本体ユニットを有し、前記表示ユニットの回転運動によって、前記表示ユニットの一面が前記本体ユニットに対向する閉じた状態と、前記一面が前記本体ユニットに対向しない所定の角度に開いた状態に、開閉する事ができる電子機器であって、前記表示ユニットの回転運動を伝達機構よって伝達し、前記表示ユニットの回転移動中に前記表示部の表示面を反転移動させる手段を更に有し、該手段は、前記表示ユニットが閉じた状態に於いては、前記表示部の表示面を、前記表示ユニットの前記一面の背面側として可視状態とすると共に、前記表示ユニットが前記開いた状態に於いては、前記表示部の表示面を反転状態として前記表示ユニットの前記一面の方向にすることを特徴とする。
【発明の効果】
【００１５】
本発明によれば、表示ユニットの閉じた状態又は開いた状態のいずれの状態に於いても表示部の表示面は操作者側に向いている電子機器を提供することができる。
【発明を実施するための最良の形態】
【００１６】
以下、本発明の一実施の形態を図面に基づいて詳細に説明する。
【００１７】
（第１の実施の形態）
図１は本発明の第１の実施の形態に係る据置型の電子機器１０００を説明する為の斜視図で、本体ユニット１にヒンジ機構で結合して回転運動する表示ユニット２の背面を本体ユニット１に対向させた、閉じた状態の状態を示している。表示ユニット２は表示面３ａを前面方向に向けて可視状態にした表示部３を支持しており、また、表示部３の上部に配置した伝達機構の構成を説明する為に、その部分を透視化している。
【００１８】
本体ユニット１には、表示ユニット２を開いた状態で、ハードディスク装置が着脱自在であり、また、ＣＰＵ、内部メモリ等の所謂パソコンを構成する各種構成が内蔵されており、ＣＰＵによる処理結果やハードディスクの状態等が表示ユニット２の表示部３により表示される構成となっている。
【００１９】
１ａは表示ユニット２の回転軸上に配置され、本体ユニット１に固定保持されたヒンジ機構軸、４はヒンジ機構軸１ａに固定保持された固定ギア、２ａはヒンジ機構軸１ａに対して回転運動可能に支持された、表示ユニット２側の回転軸を示す。表示ユニット２の下面右側にも、回転軸２ａと同軸の位置に同様の回転軸を有するが、本図では死角状態となっている。
【００２０】
固定ギア４は、図１で透視化している内部構成を上方から見た図２で示すように、ギア歯４ａを一部にのみ設け、それ以外にはギア歯を設けていない構成となっている。そのギア歯４ａの位置は、固定ギア４が本体ユニット１側に固定されているので、表示ユニット２の回転運動に連動した回転は行わない。また、ギア歯４ａと噛合って回転するギア５、及びギア５の回転を増速伝達するギア群６は表示ユニット２に支持されており、ギア群６の端末部のギアは表示部３の回転軸３ｂに固定配置したギア７に噛合って、それを回転させる。尚、ギア５、７及びギア群６は図面上ではギア歯を記載していないが、その全周囲にギア歯を有している。尚、表示部３の下面中央部にも、回転軸３ｂと同軸の位置に同様の回転軸を有するが、死角状態となっている。
【００２１】
上記構成に於いて、以下図３を用いて本発明第１の実施の形態の特徴及びその作用を説明する。同図（Ａ）〜（Ｇ）は、図１で示した電子機器１０００の表示ユニット２の回転運動の各角度の状況を、図１と異なる方向から見た斜視図と、図２と同様の表示部３の上部に配置した伝達機構の構成を可視化した上面図とを列記して示している。
【００２２】
図３（Ａ）で示した表示ユニット２がその背面を本体ユニット１に対向させた、表示ユニット２が閉じた状態から、図３（Ｂ）の表示ユニット２を本体ユニット１に対して約４５°の角度まで開く回転の間は、固定ギア４のギア歯４ａは隣接するギア５に噛合わないので、表示部３は独自の回転を行わずに表示ユニット２の回転に連動して移動する。
【００２３】
表示ユニット２の回転を図３（Ｂ）の状態から更に進めると、図３（Ｃ）に示すように、ギア歯４ａがギア５との噛合い状態となり、ギア５及びその回転を増速伝達するギア群６そしてギア７の回転を開始させ、ギア７を固定保持している表示部３が回転軸３ｂを中心とした回転を開始する。図３（Ｄ）は図３（Ｃ）の状態から更に表示ユニット２の回転を進め、図３（Ｂ）から約４５°回転した状態を示し、その間の固定ギア４のギア歯４ａに噛合って回転するギア５のギア７への伝達により、表示部３は表示ユニット２に対して約９０°回転した状態を示している。
【００２４】
更に表示ユニット２の回転を進めると、図３（Ｅ）の状態を経由して図３（Ｆ）の表示部３が表示ユニット２に対して反転した状態に至る。そして、その状態でギア歯４ａのギア５との噛合いを終了させ、図３（Ｆ）以降は表示部３は独自の回転移動を行わずに表示ユニット２の回転と共に移動し、図３（Ｇ）に示す、表示ユニット２の回転を終了した、開いた状態に至る。その状態に於いて、表示面３ａは操作者向いている。
【００２５】
また、表示ユニット２を図３（Ｇ）の開いた状態から閉じていくと、上述の説明と逆に図３（Ｇ）から図３（Ｂ）へ表示ユニット２の回転に応じて表示部３が回転して反転し、図３（Ａ）の表示面３ａを操作者側に向けた初期状態に復帰する。
【００２６】
尚、本実施の形態に於いては表示部３の回転を表示ユニット２が閉じた状態又は開いた状態から約４５°の角度から開始及び終了するように設定しているが、その角度は表示ユニット２の回転中の表示部３の回転が本体ユニット１に干渉することがない範囲の、表示ユニット２の任意の回転角度に設定することが可能である。
【００２７】
また、本実施の形態に於いては、表示ユニット２の回転角度を約１８０°に設定しているが、携帯電話、携帯情報端末、又はノートパソコンに於いては１８０°より小さい角度を開いた状態としている場合がある。その場合に於いても、表示ユニットが閉じた状態からその開いた状態までの回転中に表示部を反転移動させるように伝達機構を設定することにより、同様に可能となることは言うまでもない。
【００２８】
更に、表示ユニット２の回転に伴う表示部３の反転移動時の回転方向は、本実施の形態の回転方向と逆方向とすることも、可能である。
【００２９】
携帯型の電子機器に本実施の形態の発明を応用した例を図４に示す。同図に於いては、表示ユニット１２の回転を表示部１３に伝達する機構は基本的に図１乃至３を用いて説明した据置型の電子機器１０００と同様の為、表示ユニット１２の回転に伴う表示部１３の反転状況のみを図示している。１１はキーボード（図示せず）を有する本体ユニットで、表示ユニット１２を回転可能に保持しており、その表示ユニット１２は表示面１３ａを有する表示部１３を反転可能に支持している。図３で説明した据置型の電子機器１０００への説明と同様に図４（Ａ）では表示ユニット１２が本体ユニット１１に対して閉じた状態を示すと共に、表示面１３ａを操作者に可視可能な方向に設定している。その閉じた状態の表示ユニット１２を図４（Ａ）から（Ｇ）まで回転して開いた状態とすると、その間に表示部１３がその回転運動の伝達により反転して可視状態となっている。
【００３０】
ところで、据置型の電子機器１０００の表示ユニット２は表示部３の下側に表示部の表示面３ａの面積とほぼ同等の非表示部エリアを有している。その為、操作者はその非表示部エリアを保持して表示ユニット２を回転運動させれば、その回転に応じて反転移動する表示部３の移動が表示ユニット２回転させている操作者の手に触ることはない。
【００３１】
しかし、非表示部エリアが小さい、携帯型の電子機器１１００の表示ユニット１２の場合は、図５で示す様にそれを回転操作する操作者の手のひらが反転する表示部１３の近傍に配置される為、反転移動する表示部１３が触る可能性がある。
【００３２】
以下、第２の実施の形態に於いて、その問題を解決する発明を説明する。
【００３３】
（第２の実施の形態）
図６乃至図８は本発明の第２の実施の形態に係る据置型の電子機器１２００を説明する為の図で、図６は表示ユニット２２上部の伝達機構部を透視化した電子機器１２００の斜視図、図７は伝達機構部の上面図、図８は伝達機構部の拡大斜視図である。尚、第１の実施の形態と同様に内部に各種構成を有するものである。
【００３４】
それらの図の電子機器１２００は、本体ユニット２１に対して回転運動する表示ユニット２２の背面を本体ユニット２１に対向させた、閉じた状態の状態を示し、表示ユニット２２は表示面２３ａを前面方向に向けて可視状態にした表示部２３を支持している。固定ギア２４は本体ユニット２１に固定保持されたヒンジ機構（記号指示せず）に固定保持されており、２２ａはヒンジ機構の軸に対して回転運動可能に支持された、表示ユニット２２側の回転軸を示す。
【００３５】
固定ギア２４は、図７で示す様にギア歯２４ａ、２４ｂ、２４ｃの３グループのギア歯の位置の位相をずらし、そして図８で示す様にそれぞれ中段、上段、下段に上下方向にも分配配置している。
【００３６】
ギア２５、２６及び２７は、表示ユニット２２の回転運動に伴い、各々固定ギア２４のギア歯２４ａ、２４ｂ及び２４ｃと噛合って回転する。ギア２５の下部にはその回転を増速伝達し、表示部２３を、その右側端面近傍に配置した中心回転軸２３ｂを中心として回転運動させる増速機構を有し、またギア２６の下部にはその回転をベルト２８の周回運動に増速伝達する機構を有するが、それらは図６等では死角状態となっている。また、ギア２５とその回転を増速伝達する機構は、表示部２３の回転中心軸２３ｂ側に保持され、固定ギア２４以外のギア２６等の他のギアは、表示ユニット２２側に支持されている。
【００３７】
ギア２６の回転に伴い周回運動するベルト２８は、その運動と一体的に直線的に往復移動する保持部材２９を有す。その保持部材２９は表示部２３の回転軸２３ｂを回転可能に支持すると共に、保持部材２９の直線移動時に表示部２３の回転軸２３ｂを連動する構成となっている。
【００３８】
また、ギア群３０はギア２７の回転を二段ギア３１に増速伝達する。
【００３９】
尚、固定ギア２４以外のギアには図面上でギア歯を記載していないが、その全周囲にギア歯を有している。
【００４０】
また、表示ユニット２２の下面部には回転軸２２ａと同軸の位置にその回転を支持する回転軸を有しているが、死角状態となっている。更には、表示部２３の下面部にも回転中心軸２３ｂと同軸の位置に同様の軸を有すると共に、その軸を回転可能かつその軸の移動時にその移動を支持する、保持部材２９と同様な直線的に移動可能な保持部材を有するが、図示していない。
【００４１】
以上の構成に於いて、以下図９を用いて本発明の第２の実施の形態の特徴及びその作用を説明する。同図（Ａ）〜（Ｈ）は、電子機器１２００の表示ユニット２２の回転運動の各角度の斜視図と、図７と同様の表示部２３の上部に配置した伝達機構の構成を可視化した上面図とを列記して示している。
【００４２】
図９（Ａ）で示した表示ユニット２２がその背面を本体ユニット２１に対向させた、閉じた状態から、図９（Ｂ）の表示ユニット２２を本体ユニット２１に対して約４５°の角度まで開く回転の間は、固定ギア２４のギア歯２４ａ、２４ｂ及び２４ｃは隣接するギアに噛合わず、表示部２３は独自の回転運動を行わずに表示ユニット２２の回転に連動して移動する。
【００４３】
表示ユニット２２の回転を図９（Ｂ）の状態から更に進めると、ギア歯２４ａがギア２５との噛合い状態となってギア２５及びその回転を増速伝達する機構を介して、表示部２３が回転中心軸２３ｂを中心とした回転を開始する。
【００４４】
その回転方向は、図９（Ｃ）に示すように、表示部２３の回転中心軸２３ｂ近傍端面と対を成す側面部を、図９（Ａ）の状態で本体ユニット２１に対向していた表示ユニット２２の背面の方向に回転する。もし、それを逆方向の表示ユニット２２の前面方向に回転すると、回転する表示部２３が表示ユニット２２を回転させている操作者の手に触る可能性がある為、本発明の目的を達成できない。
【００４５】
図９（Ｄ）は表示ユニット２２が更に回転を進め、図９（Ｂ）から約４５°回転した状態を示し、その間の固定ギア２４のギア歯２４ａと噛合って回転するギア２５の回転の伝達により、表示部２３は表示ユニット２２に対して約９０°回転した状態を示している。その状態でギア歯２４ａのギア２５との噛合いを終了させ、表示部２３はそれの回転を中止する。それと同時に、ギア歯２４ｂのギア２６との噛合いが開始状態となっている。
【００４６】
その図９（Ｄ）から表示ユニット２２の回転を進めると、ギア歯２４ｂに噛合ったギア２６の回転により、ベルト２８が周回運動を開始する。それに伴い、ベルト２８と一体的な保持部材２９の移動によって、それに支持されている表示部２３の回転中心軸２３ｂが、それと垂直方向でかつ表示ユニット２３の背面に沿った方向である、図９（Ｄ）下側に示す上面図に於いて図面下側へ、移動させられる。その表示ユニット２２の回転に伴う表示部２３の移動途中の状態を図９（Ｅ）に示す。尚、回転中心軸２３ｂの移動に伴い、それに保持されているギア２５も同時に移動している。
【００４７】
図９（Ｅ）から表示ユニット２２の回転を進めた状態を図９（Ｆ）に示す。同図に於ける保持部材２９と回転軸２３ｂの表示ユニット２２に対する位置は、図９（Ａ）の当初の位置と比較すると、同図の表示面２３ａの横方向の対称中心線を軸として対称の位置に移動すると共に、ギア歯２４ｂのギア２６との噛合いが終了して、回転軸２３ｂの位置移動を終了する。その時、回転軸２３ｂと一緒に移動したギア２５は二段ギア３１の下側のギアと噛合っている。また、同時にギア歯２４ｃのギア２７との噛合いが開始状態となっている。
【００４８】
図９（Ｆ）から表示ユニット２２の回転を進めた状態が、図９（Ｇ）である。表示ユニット２２への回転操作に伴い、ギア歯２４ｃがギア２７及びそれに連なるギア群３０に増速回転させ、その回転が二段ギア３１に伝えられる。そして、二段ギア３１の下側のギアは回転軸２３ｂと一緒に移動したギア２５と噛合っているので、表示部２３の回転運動を再開している。
【００４９】
そして、図９（Ｈ）の所定の角度まで表示ユニット２２を回転させると、表示部２３は反転状態となり、ギア歯２４ｃとギア２７の噛合いを終了し、表示部２３の反転運動を終了する。表示面２３ａは図９（Ａ）状態と同様に、操作者側に向いている。
【００５０】
以上説明した図９（Ａ）から（Ｈ）までの、表示ユニット２２の回転に伴う表示部２３の反転運動が示す様に、例え操作者が図９（Ａ）の状態で右手親指を表示ユニット２２の左側面に、そして残りの指を表示面２３ａの上面部に配置して表示ユニット２２の回転を行っても、その表示ユニット２２回転中の表示部２３の反転移動は操作者の指に触ることなく、それを行う事ができる。
【００５１】
また、図９（Ｈ）の表示ユニット２２の位置からそれを閉じていくと、以上の説明の逆の運動を行って図９（Ａ）の閉じた状態に至り、表示面２３ａを可視状態とする。
【００５２】
尚、図９で説明した機構に於いては表示部２３の回転移動及びその回転中心軸２３ｂの位置移動を各々独立して運動を行う例で示したが、それらの移動を同時に行う機構、すなわち表示部２３が回転しながら移動する機構も可能である。
【００５３】
本実施の形態を携帯型の電子機器１４００に応用した例を図１０に示す。同図に於いては、表示ユニット４２の本体ユニット４１に対する回転を表示部４３に伝達する機構は基本的には図６乃至９を用いて説明した据置型の電子機器１２００と同様であるが、表示部４３の回転軸を表示ユニット４２と本体ユニット４１の回転軸に垂直とした例を示している。
【００５４】
すなわち、表示ユニット４２の本体ユニット４１に対する回転をハス歯ギア等で９０°直角方向に変換して、表示部４３の回転に伝達している。その機構は本発明の主旨とは異なるので、特に詳細の説明を省き、表示ユニット４２の回転に伴って表示部４３の反転させ、表示ユニット４３が閉じた状態の図１０（Ａ）と開いた状態の図１０（Ｈ）のいずれに於いても可視可能である事を示す。そして、図５に示したように操作者の手のひらが表示ユニット４２の上面に置いたままの状態で表示ユニット４２を開く回転操作しても、手のひらに表示部４３の反転移動が触る等の影響がない事も示している。
【００５５】
以上の第１及び第２の実施の形態で説明した例に於いては、表示ユニットを操作者が手で保持して回転させる構造の電子機器であるが、近年、特に携帯電話に於いては、表示ユニットと本体ユニットのヒンジ機構にスナップ式回転機構を有する機器が出てきている。すなわち表示ユニットを開放する方向へ付勢するバネ機構を有し、表示ユニットが閉じた状態ではその付勢する力を蓄える状態で本体ユニット側に保持し、その保持をボタン操作等で解除することによって、表示ユニットを一気に開放して開いた状態とする気候である。尚、表示ユニットを閉じた状態とする時は、操作者の手で表示ユニットを閉じる操作を行う機構が一般的である。
【００５６】
本発明はそのようなスナップ式回転機構の表示ユニットを有する電子機器に於いては、本発明は非常に有効で、表示ユニットを開くボタン操作ひとつで、表示ユニットの反転をも行うことができる。
【００５７】
以上説明したように、本発明の実施の形態によれば、表示ユニットの回転運動中にその回転運動を伝達して表示部を反転移動させることによって、操作者が表示部を別途反転操作することなく、表示ユニットの閉じた状態又は開いた状態のいずれの状態に於いても表示部の表示面は操作者側に向いている電子機器を提供することができる。そして、表示ユニットの回転操作時の表示部の反転移動を、表示ユニットの回転操作を行っている操作者の手に触ることなく行う電子機器をも提供することができる。
【図面の簡単な説明】
【００５８】
【図１】本発明の第１の実施の形態に係わる据置型の電子機器の構成を説明する斜視図。
【図２】本発明の第１の実施の形態に係わる据置型の電子機器の表示ユニットの回転を表示部に伝達する機構を説明する透視上面図。
【図３】本発明の第１の実施の形態に係わる据置型の電子機器の表示ユニットの回転に伴う表示部を反転する説明する図。
【図４】本発明の第１の実施の形態に係わる携帯型の電子機器の表示ユニットの回転に伴う表示部を反転する説明する図。
【図５】携帯型の電子機器の表示ユニットを回転操作する操作者の手の位置を説明する図。
【図６】本発明の第２の実施の形態に係わる据置型の電子機器の構成を説明する斜視図。
【図７】本発明の第２の実施の形態に係わる据置型の電子機器の表示ユニットの回転を表示部に伝達する機構を説明する透視上面図。
【図８】本発明の第２の実施の形態に係わる据置型の電子機器の表示ユニットの回転を表示部に伝達する機構を説明する拡大斜視図。
【図９】本発明の第２の実施の形態に係わる据置型の電子機器の表示ユニットの回転に伴う表示部を反転する説明する図。
【図１０】本発明の第２の実施の形態に係わる携帯型の電子機器の表示ユニットの回転に伴う表示部を反転する説明する図。
【図１１】従来技術を説明する図。
【符号の説明】
【００５９】
１、１１、２１、４１  本体ユニット
２、１２、２２、４２  表示ユニット
３、１３、２３、４３  表示部
３ａ、１３ａ、２３ａ、４３ａ  表示面
３ｂ、２３ｂ  表示部の回転中心
４、２４  固定ギア
４ａ、２４ａ、２４ｂ、２４ｃ  固定ギアのギア歯
５、２５、２６  ２７  ギア
６、３０、ギア群
２８  ベルト
２９  保持部材
３１  二段ギア
１０００、１１００、１２００、１４００  電子機器
【図１】
2006133668.tif 000003
【図２】
2006133668.tif 000004
【図３】
2006133668.tif 000005
【図４】
2006133668.tif 000006
【図５】
2006133668.tif 000007
【図６】
2006133668.tif 000008
【図７】
2006133668.tif 000009
【図８】
2006133668.tif 000010
【図９】
2006133668.tif 000011
【図１０】
2006133668.tif 000012
【図１１】
2006133668.tif 000013